(57)【要約】【課題】間接気化式熱交換器の体格を大型化するのを抑制しながら、間接気化式熱交換器によって冷凍機の局所的な排熱を処理することが可能な空調装置を提供する。【解決手段】この空調装置１００は、店内８０に設けられた冷凍機２と、冷凍機２からの排熱によって加熱された加熱空気９１を直接取り込む給気口１１ａを有する、店内８０に設けられた間接気化式熱交換器１とを備え、間接気化式熱交換器１は、給気口１１ａから直接取り込まれた加熱空気９１を、水分を含んだウエット流路１３と、ドライ流路１４とに分岐させ、ウエット流路１３内を空気９１ａが流れる際にウエット流路１３内の水分が気化することによって発生する気化熱によって、ドライ流路１４内を流れる空気９１ｂを冷却するとともに、ドライ流路１４内において冷却された冷却空気９２を店内８０に給気するように構成されている。【選択図】図３
2018021748.tif 000002
【特許請求の範囲】
【請求項１】
室内に設けられた冷凍機と、
前記冷凍機からの排熱によって加熱された空気を直接取り込む給気口を有する、室内に設けられた間接気化式熱交換器とを備え、
前記間接気化式熱交換器は、前記給気口から直接取り込まれた空気を、水分を含んだウエット流路と、ドライ流路とに分岐させ、前記ウエット流路内の空気により前記ウエット流路内の水分が気化することによって発生する気化熱によって、前記ドライ流路内を流れる空気を冷却するとともに、前記ドライ流路内において冷却された空気を前記室内に給気するように構成されている、空調装置。
【請求項２】
前記間接気化式熱交換器は、前記冷凍機の上部に配置されている、請求項１に記載の空調装置。
【請求項３】
前記ウエット流路への給水を行う給水装置をさらに備え、
前記給水装置は、室外の貯水タンクに貯蔵された雨水、工業用水、地下水、または、河川の水のうちの少なくともいずれか１つを送水する室外の送水ポンプを含む、請求項１または２に記載の空調装置。
【請求項４】
前記間接気化式熱交換器は、前記冷凍機の内部に配置されるように構成されている、請求項１に記載の空調装置。
【請求項５】
前記ウエット流路への給水を行う給水装置をさらに備え、
前記給水装置は、前記冷凍機の蒸発器において凝縮した排水を、前記蒸発器の排水を貯水する前記冷凍機内の貯水部材から前記ウエット流路に送水する、前記冷凍機内の給水ポンプを含む、請求項４に記載の空調装置。
【請求項６】
前記ドライ流路の入口側、出口側、前記ウエット流路の入口側または出口側のうちの少なくとも１つの側にファンが設けられている、請求項１〜５のいずれか１項に記載の空調装置。
【請求項７】
前記ドライ流路は、前記ドライ流路によって冷却された空気を前記ウエット流路に送る分岐流路を含む、請求項１〜６のいずれか１項に記載の空調装置。
【請求項８】
前記間接気化式熱交換器に設けられ、前記ウエット流路からの排水を回収し、前記ウエット流路に給水することによって循環させる循環装置をさらに備える、請求項１に記載の空調装置。
【請求項９】
前記循環装置は、前記ウエット流路よりも下流側の排気流路に配置され、前記ウエット流路から排出された空気に対して回収した前記排水を散布する散水部を含む、請求項８に記載の空調装置。
【請求項１０】
前記ウエット流路よりも下流側の排気流路の内壁面または外壁面の少なくとも一方に設けられた冷却部材をさらに備える、請求項８または９に記載の空調装置。
【請求項１１】
前記冷却部材は、冷却フィンを含む、請求項１０に記載の空調装置。
【請求項１２】
前記ウエット流路よりも下流側の排気流路の外壁面と、前記外壁面よりも低温の外部の構造物とを接続するとともに、前記外壁面の熱を前記外部の構造物に伝達する熱伝導部材をさらに備える、請求項８〜１１いずれか１項に記載の空調装置。
【請求項１３】
前記ウエット流路は、前記ドライ流路と前記ウエット流路とを分離する隔壁と、前記ウエット流路の空気の流れ方向と直交する方向の両端部において一対の前記隔壁間に配置されるスペーサと、吸水性を有する保水部材とによって構成され、
前記保水部材の一端および他端は、前記ウエット流路の内部において、一端側の前記スペーサから他端側の前記スペーサまでの範囲内に配置されている、請求項１に記載の空調装置。
【請求項１４】
前記保水部材の一端は、一端側の前記スペーサの前記ウエット流路側の内表面近傍に配置されており、前記保水部材の他端は、他端側の前記スペーサの前記ウエット流路側の内表面近傍に配置されている、請求項１３に記載の空調装置。
【発明の詳細な説明】
【技術分野】
【０００１】
この発明は、空調装置に関し、特に、供給される水の気化熱を利用して冷却空気を給気する間接気化式熱交換器を備える空調装置に関する。
【背景技術】
【０００２】
従来、供給される水の気化熱を利用して冷却空気を給気する間接気化式熱交換器を備える空調装置が知られている（たとえば、特許文献１参照）。
【０００３】
上記特許文献１に記載の空調装置には、間接気化式熱交換器が備えられている。間接気化式熱交換器は、外気吸入口から吸入された外気が通るプロダクトエア流路と、換気吸入口から吸入された室内の空気が通るワーキングエア流路とを含んでいる。そして、間接気化式熱交換器は、ワーキングエア流路内の水分が気化することによって発生する気化熱を利用して、プロダクトエア流路内を通る空気を冷却し、冷却された空気を室内に給気することによって、室内の冷却を行っている。
【先行技術文献】
【特許文献】
【０００４】
【特許文献１】特開２００７−１３９３３７号公報
【発明の概要】
【発明が解決しようとする課題】
【０００５】
しかしながら、上記特許文献１に記載されたような従来の空調装置では、間接気化式熱交換器は、室内の空間全体の発熱量のみを考慮して、能力および風量が選定されている。このため、室内に冷凍機などの局所的な排熱を発生させる機器がある場合、間接気化式熱交換器の風量不足により、局所的な排熱によって加熱された空気が換気され切らず（処理できず）、室内の温度が上昇してしまうという問題点がある。一方、局所的な排熱を換気可能とするために風量を増加させる場合には、間接気化式熱交換器が大型化するという問題点がある。
【０００６】
この発明は、上記のような課題を解決するためになされたものであり、この発明の１つの目的は、間接気化式熱交換器の体格を大型化するのを抑制しながら、間接気化式熱交換器によって冷凍機の局所的な排熱を処理することが可能な空調装置を提供することである。
【課題を解決するための手段】
【０００７】
この発明の一の局面による空調装置は、室内に設けられた冷凍機と、冷凍機からの排熱によって加熱された空気を直接取り込む給気口を有する、室内に設けられた間接気化式熱交換器とを備え、間接気化式熱交換器は、給気口から直接取り込まれた空気を、水分を含んだウエット流路と、ドライ流路とに分岐させ、ウエット流路内の空気によりウエット流路内の水分が気化することによって発生する気化熱によって、ドライ流路内を流れる空気を冷却するとともに、ドライ流路内において冷却された空気を室内に給気するように構成されている。
【０００８】
ここで、間接気化式熱交換器に取り込まれる空気の湿度が一定の場合、間接気化式熱交換器に取り込まれた空気の温度、および、間接気化式熱交換器の風量のそれぞれが大きいほど、間接気化式熱交換器の熱処理量は大きくなる。すなわち、間接気化式熱交換器に取り込まれる空気の湿度が一定の場合、間接気化式熱交換器に取り込む空気の温度を高くするか、または、間接気化式熱交換器の風量を増加させることによって、間接気化式熱交換器の熱処理量を大きくすることができる。したがって、この発明の一の局面による空調装置は、冷凍機からの排熱によって加熱された空気を給気口から直接的に間接気化式熱交換器に取り込むことによって、室内の空気または外気よりも排熱により加熱された空気の方が温度が高いので、室内の空気または外気を取り込む場合に比べて、風量を増加させることなく、間接気化式熱交換器の熱処理量を大きくすることができる。また、外気が多湿になる夏季等においては、間接気化式熱交換器に取り込まれる空気の湿度が、外気の湿度よりも低いので、間接気化式熱交換器内の水分の気化を促進させることができるとともに、間接気化式熱交換器の熱処理量を大きくすることができる。その結果、間接気化式熱交換器の体格を大型化するのを抑制しながら、冷凍機の排熱を処理することができる。また、従来のように冷凍機の排熱によって加熱された空気が室内に流出する場合に比べて、冷凍機の排熱を利用して冷却することができるので、空調装置にかかる熱負荷を低減することができるとともに、空調装置の消費電力を低減することができる。また、間接気化式熱交換器が室内に配置されているので、室内と室外とを繋ぐダクトを設ける必要がなく、空調装置が大型化するのを抑制できる。
【０００９】
上記一の局面による空調装置では、好ましくは、間接気化式熱交換器は、冷凍機の上部に配置されている。ここで、加熱された空気は、上方へ移動する傾向がある。したがって、冷凍機の上部に間接気化式熱交換器を配置するように構成することによって、冷凍機の上部に配置された間接気化式熱交換器へ、冷凍機の排熱によって加熱された空気を容易に導入することができる。
【００１０】
上記一の局面による空調装置は、好ましくは、ウエット流路への給水を行う給水装置をさらに備え、給水装置は、室外の貯水タンクに貯蔵された雨水、工業用水、地下水、または、河川の水のうちの少なくともいずれか１つを送水する室外の送水ポンプを含む。このように構成すれば、水道水を用いることなく、ウエット流路への給水を行うことができる。
【００１１】
上記給気口を含む間接気化式熱交換器を備える空調装置は、好ましくは、間接気化式熱交換器は、冷凍機の内部に配置されるように構成されている。このように構成すれば、冷凍機内のデッドスペースに間接気化式熱交換器を配置することにより、空調装置全体を小型化することができるとともに、室内において空調装置が占有するスペースを低減させることができる。
【００１２】
この場合、好ましくは、ウエット流路への給水を行う給水装置をさらに備え、給水装置は、冷凍機の蒸発器において凝縮した排水を、蒸発器の排水を貯水する冷凍機内の貯水部材からウエット流路に送水する、冷凍機内の給水ポンプを含む。このように構成すれば、水道水を用いず蒸発器の排水を用いて、ウエット流路への給水を行うことができる。また、蒸発器からの排水は純水に近いので、雨水等を用いて給水する場合に比べて、不純物（固形物）の濾過のための給水フィルタを設ける必要がない。したがって、貯水部材に貯水された排水をウエット流路への給水に用いることによって、雨水等を用いる場合に比べて、装置の部品点数を低減させることができる。
【００１３】
上記一の局面による空調装置では、好ましくは、ドライ流路の入口側、出口側、ウエット流路の入口側または出口側のうちの少なくとも１つの側にファンが設けられる。このように構成すれば、ウエット流路の空気の風量、または、ドライ流路の空気の風量のうちの少なくとも一方を容易に調整することができるので、間接気化式熱交換器の冷却能力を容易に調整することができる。
【００１４】
上記一の局面による空調装置では、好ましくは、ドライ流路は、ドライ流路によって冷却された冷却空気をウエット流路に送る分岐流路を含む。このように構成すれば、分岐流路から送られた冷却空気によって、ウエット流路が冷却されるので、ウエット流路によるドライ流路の冷却を容易にすることができる。
【００１５】
上記一の局面による空調装置は、好ましくは、間接気化式熱交換器に設けられ、ウエット流路からの排水を回収し、ウエット流路に給水することによって循環させる循環装置を含む。このように構成すれば、ウエット流路からの排水を循環させることにより、ウエット流路への給水に用いる水を再利用することができる。その結果、使用水量を低減することができる。
【００１６】
この場合、好ましくは、循環装置は、ウエット流路よりも下流側の排気流路に配置され、ウエット流路から排出された空気に対して、回収した排水を散布する散水部を含む。このように構成すれば、ウエット流路から排出された空気を散水部により冷却することによって、水の再凝縮を起こし、ウエット流路において気化した水分を回収することができる。その結果、再利用可能な水量を増大させて、使用水量をさらに低減させることができる。
【００１７】
上記循環装置を含む構成では、好ましくは、ウエット流路よりも下流側の排気流路の内壁面または外壁面の少なくとも一方に設けられた冷却部材をさらに備える。このように構成すれば、排気流路の内壁面に設けた冷却部材によって、ウエット流路からの空気を冷却したり、排気流路の外壁面に設けた冷却部材によって、排気流路内の熱を外部に放熱したりすることが可能となる。その結果、ウエット流路よりも下流側の排気流路における空気の冷却効率が向上されるので、ウエット流路で気化した水分の回収量をさらに増加させることができる。
【００１８】
この場合、好ましくは、冷却部材は冷却フィンを含む。このように構成すれば、ウエット流路よりも下流側の排気流路の内壁面または外壁面の少なくとも一方の表面積を冷却フィンにより増大させることができるので、ウエット流路よりも下流側の排気流路の冷却効率を容易に高めることができる。
【００１９】
上記循環装置を含む構成では、好ましくは、ウエット流路よりも下流側の排気流路の外壁面と、外壁面よりも低温の外部の構造物とを接続するとともに、外壁面の熱を外部の構造物に伝達する熱伝導部材をさらに備える。このように構成すれば、熱伝導部材によって、ウエット流路よりも下流側の排気流路内の熱を効率的に外部へ伝導させることが可能となる。その結果、ウエット流路よりも下流側の排気流路における空気の冷却効率が向上するので、ウエット流路で気化した水分の回収量をより一層増加させることができる。
【００２０】
上記一の局面による空調装置は、好ましくは、ウエット流路は、ドライ流路とウエット流路とを分離する隔壁と、ウエット流路の空気の流れ方向と直交する方向の両端部において一対の隔壁間に配置されるスペーサと、吸水性を有する保水部材とによって構成され、保水部材の一端および他端は、ウエット流路の内部において、一端側のスペーサから他端側のスペーサまでの範囲内に配置されている。このように構成すれば、保水部材をウエット流路の端部からはみ出して配置する場合と異なり、ドライ流路へ流れ込む空気が、ウエット流路の端部からはみ出した保水部材に触れることを防ぐことができるので、ドライ流路への水分の混入を抑制することができる。その結果、ドライ流路内の空気の絶対湿度の増大を抑制することができるので、冷却効率を向上させることができる。
【００２１】
この場合、好ましくは、保水部材の一端は、一端側のスペーサのウエット流路側の内表面近傍に配置されており、保水部材の他端は、他端側のスペーサのウエット流路側の内表面近傍に配置されている。このように構成すれば、保水部材をウエット流路内のスペーサの内側の略全域に渡って配置することができる。その結果、ウエット流路内に保水することができる水分量を増大させることができるので、ウエット流路内で気化する水分量を増大させることができる。これによっても、冷却効率を向上させることができる。なお、本明細書において、スペーサのウエット流路側の内表面近傍とは、スペーサのウエット流路側の内表面の位置そのものと、スペーサのウエット流路側の内表面の位置付近との両方を含む広い概念である。
【発明の効果】
【００２２】
本発明によれば、上記のように、間接気化式熱交換器の体格を大型化するのを抑制しながら、間接気化式熱交換器によって冷凍機の局所的な排熱を処理することが可能な空調装置を提供することができる。
【図面の簡単な説明】
【００２３】
【図１】本発明の第１実施形態による空調装置の構成を示した図である。
【図２】本発明の第１実施形態による空調装置の冷凍機の上面図である。
【図３】本発明の第１実施形態による空調装置の拡大図である。
【図４】本発明の第１実施形態による間接気化式熱交換器内のコアの構成を示した図である。
【図５】本発明の第１実施形態による空調装置の間接気化式熱交換器の拡大図である。
【図６】本発明の第２実施形態による空調装置の間接気化式熱交換器の拡大図である。
【図７】本発明の第３実施形態による空調装置の間接気化式熱交換器の拡大図である。
【図８】本発明の第４実施形態による空調装置の間接気化式熱交換器の拡大図である。
【図９】本発明の第５実施形態による空調装置の拡大図である。
【図１０】本発明の第６実施形態による空調装置の間接気化式熱交換器の拡大図である。
【図１１】本発明の第１実施形態の第１変形例による空調装置の間接気化式熱交換器の拡大図である。
【図１２】本発明の第１実施形態の第２変形例による空調装置の間接気化式熱交換器の拡大図である。
【図１３】本発明の第３実施形態の変形例による空調装置の間接気化式熱交換器の拡大図である。
【図１４】本発明の第７実施形態による空調装置の拡大図である。
【図１５】本発明の第７実施形態による間接気化式熱交換器内のコアの構成を示した図である。
【図１６】本発明の第７実施形態による空調装置の間接気化式熱交換器をドライ流路入口側から見た拡大図である。
【図１７】本発明の第７実施形態による空調装置の間接気化式熱交換器をウエット流路入口側から見た拡大図である。
【図１８】本発明の第７実施形態による空調装置の間接気化式熱交換器を上側から見た拡大図である。
【図１９】本発明の第８実施形態による空調装置の間接気化式熱交換器の拡大図である。
【図２０】本発明の第９実施形態による空調装置の間接気化式熱交換器の拡大図である。
【図２１】本発明の第１０実施形態による空調装置の間接気化式熱交換器の拡大図である。
【図２２】本発明の第９実施形態の第１変形例による空調装置の間接気化式熱交換器の拡大図である。
【図２３】本発明の第９実施形態の第２変形例による空調装置の間接気化式熱交換器の拡大図である。
【図２４】本発明の第１１実施形態による間接気化式熱交換器内のコアの構成を示した図である。
【発明を実施するための形態】
【００２４】
以下、本発明を具体化した実施形態を図面に基づいて説明する。
【００２５】
［第１実施形態］
まず、図１〜図５を参照して、本発明の第１実施形態による空調装置１００の構成について説明する。
【００２６】
（空調装置の構成）
第１実施形態による空調装置１００は、図１に示すように、ショーケース７０が設置されている店内８０の中に設けられている。また、空調装置１００は、間接気化式熱交換器１と冷凍機２とを備えており、冷凍機２は、ショーケース７０の内部に設けられている。なお、店内８０において、壁面８１側をＸ１方向、壁面８１と反対側をＸ２方向とする。また、ショーケース７０をＸ２方向から見て、右側をＹ１方向、左側をＹ２方向とする。また、天井８２側をＺ１方向、床面８３側をＺ２方向とする。なお、店内８０は、特許請求の範囲の「室内」の一例である。
【００２７】
ここで、第１実施形態では、間接気化式熱交換器１は、冷凍機２の上部に配置されている。具体的には、間接気化式熱交換器１は、冷凍機２の上面２６上に配置されている。
【００２８】
冷凍機２は、凝縮器２１を含んでいる。また、店内８０から冷凍機２に吸入された空気９０は、凝縮器２１によって加熱される。また、凝縮器２１の近傍には、凝縮器用ファン２１ａが設けられている。凝縮器２１によって加熱された空気９０は、加熱空気９１となって凝縮器用ファン２１ａにより送風される。具体的には、空気９０の温度と加熱空気９１の温度との差は約１０℃である。なお、加熱空気９１は、特許請求の範囲の「冷凍機からの排熱によって加熱された空気」の一例である。
【００２９】
図２に示すように、冷凍機２は、圧縮機２２を含んでいる。また、冷凍機２は、蒸発器２３を含んでいる。また、冷凍機２は、膨張弁２４を含んでいる。凝縮器２１と圧縮機２２と蒸発器２３と膨張弁２４とは、冷媒配管２５によって繋がっている。また、凝縮器用ファン２１ａによって送風される加熱空気９１は、冷凍機２の上面２６に設けられた排気口２６ａを通り、冷凍機２の外部に排気される。また、排気口２６ａは、後述する間接気化式熱交換器１の下面１１に設けられる給気口１１ａと連通するように設けられている。なお、図２では、冷凍機２以外の部材を省略している。
【００３０】
また、冷凍機２において、全体の部品が筐体（簡易シール加工）（図示せず）によって囲まれている。これにより、凝縮器２１の排熱によって加熱された加熱空気９１の略全てを排気口２６ａに導入することができる。
【００３１】
図３に示すように、間接気化式熱交換器１は、コア部１２を含む。また、コア部１２は、ウエット流路１３と、ドライ流路１４とを有している。
【００３２】
図４に示すように、コア部１２は、ウエット流路１３とドライ流路１４とが積層されるように構成されている。ウエット流路１３およびドライ流路１４のそれぞれの各層の、Ｙ方向の流路幅は数ｍｍ（たとえば、５ｍｍ）程度である。また、ウエット流路１３の内表面１３ａには、不織布１３ｂ（たとえば、ポリプロピレン製、または、吸湿性のある濾紙）が設けられており、後述する給水装置１７（図１参照）から送水される水が保水される。また、ウエット流路１３とドライ流路１４との間には、熱伝導が可能で水を通さない隔壁１５（たとえば、ポリプロピレン製のフィルム、または、薄いシート）が設けられている。
【００３３】
ここで、第１実施形態では、図５に示すように、間接気化式熱交換器１は、冷凍機２からの排熱によって加熱された加熱空気９１を直接取り込む給気口１１ａを有する。また、間接気化式熱交換器１は、給気口１１ａから直接取り込まれた加熱空気９１を、水分を含んだウエット流路１３（空気９１ａ）と、ドライ流路１４（空気９１ｂ）とに分岐させ、ウエット流路１３内の空気９１ａによりウエット流路１３内の水分が気化することによって発生する気化熱によって、ドライ流路１４内を流れる空気９１ｂを冷却するとともに、ドライ流路１４内において冷却された冷却空気９２を店内８０に給気するように構成されている。具体的には、加熱空気９１は、排気口２６ａを通り冷凍機２から排気され、給気口１１ａを通り間接気化式熱交換器１に直接給気されるように構成されている。間接気化式熱交換器１に給気された加熱空気９１は、間接気化式熱交換器１の接続流路１６を通り、その後、ウエット流路１３を通る空気９１ａと、ドライ流路１４を通る空気９１ｂとに分岐される。また、空気９１ａがウエット流路１３を通る際に、不織布１３ｂに保水された水が気化し、発生した気化熱によって、空気９１ａおよびウエット流路１３が冷却される。そして、隔壁１５を介して、冷却されたウエット流路１３によって、ドライ流路１４および空気９１ｂが冷却される。なお、図５においては、後述する給水装置１７は省略している。なお、冷却空気９２は、特許請求の範囲の「ドライ流路内において冷却された空気」および「ドライ流路によって冷却された空気」の一例である。また、空気９１ａおよび空気９１ｂはそれぞれ、特許請求の範囲の「ウエット流路内を流れる空気」および「ドライ流路内を流れる空気」の一例である。
【００３４】
図２に示すように、給気口１１ａは矩形形状を有している。給気口１１ａの開口面積は、間接気化式熱交換器１の下面１１に対して１／６倍程度である。
【００３５】
図１に示すように、間接気化式熱交換器１は、ウエット流路１３への給水を行う給水装置１７を含む。給水装置１７は、給水管１７ａを有している。給水装置１７は、給水管１７ａを介して、ウエット流路１３内へ水道水を送水する。ウエット流路１３内へ送られた水は、不織布１３ｂに保水される。また、不織布１３ｂに保水された水のうち、気化しなかった水分は、排水管１８から室外へ排出される。
【００３６】
図５に示すように、間接気化式熱交換器１は、ドライ流路１４からの冷却空気９２を店内８０へ給気するための戻り流路１４ａを含む。戻り流路１４ａは、給気口１４０を有している。ドライ流路１４から出た冷却空気９２は、給気口１４０から店内８０へ給気される。また、間接気化式熱交換器１は、ウエット流路１３からの加熱空気９１よりも温度が低い（たとえば、加熱空気９１の温度より５℃低い）排気空気９３を店内８０へ排気するための排気流路１３ｃを含む。排気流路１３ｃは、排気口１３０を有している。ウエット流路１３から出た排気空気９３は、排気口１３０から店内８０へ排気される。
【００３７】
排気空気９３は、店内８０へ排気された後、店内８０の天井８２（図１参照）に設けられた換気扇８４（図１参照）に吸い込まれる。換気扇８４に吸い込まれた排気空気９３は、ダクト８５（図１参照）を通って室外に排気される。
【００３８】
ドライ流路１４の流路面積と、ウエット流路１３の流路面積との比は、所定の値（たとえば、４：１）になるように構成されている。これにより、ドライ流路１４を通る空気９１ｂの風量と、ウエット流路１３を通る空気９１ａの風量との比を、所定の値（４：１）に調整することができるので、間接気化式熱交換器１の冷却能力を流路面積によって調整することができる。また、排気空気９３（空気９１ａ）の風量が所定の風量以下（たとえば、４００ｍ3／ｈ）になるように調整することができるので、比較的小さい排気設備によって排気空気９３を排気することができる。
【００３９】
（第１実施形態の効果）
第１実施形態では、以下のような効果を得ることができる。
【００４０】
第１実施形態では、上記のように、店内８０に設けられた冷凍機２と、冷凍機２からの排熱によって加熱された加熱空気９１を直接取り込む給気口１１ａを有する、店内８０に設けられた間接気化式熱交換器１とを備え、間接気化式熱交換器１は、給気口１１ａから直接取り込まれた加熱空気９１を、水分を含んだウエット流路１３と、ドライ流路１４とに分岐させ、ウエット流路１３内の空気９１ａによりウエット流路１３内の水分が気化することによって発生する気化熱によって、ドライ流路１４内を流れる空気９１ｂを冷却するとともに、ドライ流路１４内において冷却された冷却空気９２を店内８０に給気するように、空調装置１００を構成する。ここで、間接気化式熱交換器１に取り込まれる加熱空気９１の湿度が一定の場合、間接気化式熱交換器１に取り込まれた加熱空気９１の温度、および、間接気化式熱交換器１の風量のそれぞれが大きいほど、間接気化式熱交換器１の熱処理量は大きくなる。すなわち、間接気化式熱交換器１に取り込まれる加熱空気９１の湿度が一定の場合、間接気化式熱交換器１に取り込む加熱空気９１の温度を高くするか、または、間接気化式熱交換器１の風量を増加させることによって、間接気化式熱交換器１の熱処理量を大きくすることができる。したがって、冷凍機２からの排熱によって加熱された加熱空気９１を給気口１１ａから直接的に間接気化式熱交換器１に取り込むことによって、店内８０の空気９０または外気よりも排熱により加熱された加熱空気９１の方が温度が高いので、店内８０の空気９０または外気を取り込む場合に比べて、風量を増加させることなく、間接気化式熱交換器１の熱処理量を大きくすることができる。また、外気が多湿になる夏季等においては、間接気化式熱交換器１に取り込まれる加熱空気９１の湿度が、外気の湿度よりも低いので、間接気化式熱交換器１内の水分の気化を促進させることができるとともに、間接気化式熱交換器１の熱処理量を大きくすることができる。その結果、間接気化式熱交換器１の体格を大型化するのを抑制しながら、冷凍機２の排熱を処理することができる。
【００４１】
また、従来のように冷凍機２の排熱によって加熱された加熱空気９１が店内８０に流出する場合に比べて、冷凍機２の排熱を利用して冷却することができるので、空調装置１００にかかる熱負荷を低減することができるとともに、空調装置１００の消費電力を低減することができる。また、間接気化式熱交換器１が店内８０に配置されているので、店内８０と室外とを繋ぐダクトを設ける必要がなく、空調装置１００が大型化するのを抑制できる。
【００４２】
また、第１実施形態では、上記のように、間接気化式熱交換器１は、冷凍機２の上部に配置されるように、空調装置１００を構成する。ここで、加熱された空気は、上方へ移動する傾向がある。したがって、間接気化式熱交換器１を冷凍機２の上部に配置することにより、冷凍機２の上部に配置された間接気化式熱交換器１へ、冷凍機２の排熱によって加熱された加熱空気９１を容易に導入することができる。
【００４３】
［第２実施形態］
図６を参照して、本発明の第２実施形態による空調装置２００の構成について説明する。第２実施形態では、上記第１実施形態の構成と異なり、ウエット流路１３に、室外の貯水タンク２７ｂに貯蔵された雨水を給水する構成である。なお、上記第１実施形態と同様の構成は、第１実施形態と同じ符号を付して図示するとともに説明を省略する。
【００４４】
（空調装置の構成）
第２実施形態では、図６に示すように、間接気化式熱交換器１は、ウエット流路１３への給水を行う給水装置２７を含む。具体的には、給水装置２７は、給水管２７ａと、室外に設けられる貯水タンク２７ｂと、貯水タンク２７ｂの水をウエット流路１３に送水する送水ポンプ２７ｃとを有している。貯水タンク２７ｂは、雨水を貯蔵するように構成されている。貯水タンク２７ｂの雨水は、給水フィルタ（図示せず）によって濾過され、送水ポンプ２７ｃによって、ウエット流路１３内へ送水される。
【００４５】
なお、第２実施形態のその他の構成は、上記第１実施形態と同様である。
【００４６】
（第２実施形態の効果）
第２実施形態では、以下のような効果を得ることができる。
【００４７】
第２実施形態では、上記のように、給水装置２７が、室外の貯水タンク２７ｂに貯蔵された雨水を送水する室外の送水ポンプ２７ｃを含むように、空調装置２００を構成する。これにより、水道水を用いることなく、ウエット流路１３への給水を行うことができる。
【００４８】
なお、第２実施形態のその他の効果は、上記第１実施形態と同様である。
【００４９】
［第３実施形態］
図７を参照して、本発明の第３実施形態による空調装置３００の構成について説明する。第３実施形態では、上記第１実施形態の構成に加えて、ウエット流路１３の入口側およびドライ流路１４の入口側に、ファン１９を設ける構成である。なお、上記第１実施形態と同様の構成は、第１実施形態と同じ符号を付して図示するとともに説明を省略する。
【００５０】
（空調装置の構成）
第３実施形態では、図７に示すように、空調装置３００では、ウエット流路１３の入口側、および、ドライ流路１４の入口側に、ファン１９が設けられている。具体的には、ファン１９は、接続流路１６の、ウエット流路１３の入口側、および、ドライ流路１４の入口側に、コア部１２と対向するように配置されている。また、ファン１９は、空気９１ａの風量、および、空気９１ｂの風量のそれぞれを調整するように構成されている。
【００５１】
なお、第３実施形態のその他の構成は、上記第１実施形態と同様である。
【００５２】
（第３実施形態の効果）
第３実施形態では、以下のような効果を得ることができる。
【００５３】
第３実施形態では、上記のように、ウエット流路１３の入口側、および、ドライ流路１４の入口側に、ファン１９が設けられるように、空調装置３００を構成する。これにより、ウエット流路１３の空気９１ａの風量、および、ドライ流路１４の空気９１ｂの風量のそれぞれを容易に調整することができるので、間接気化式熱交換器１の冷却能力を容易に調整することができる。
【００５４】
なお、第３実施形態のその他の効果は、上記第１実施形態と同様である。
【００５５】
［第４実施形態］
図８を参照して、本発明の第４実施形態による空調装置４００の構成について説明する。第４実施形態では、上記第１実施形態の構成に加えて、戻り流路３４ａの冷却空気９２の一部を、分岐流路３４ｂを介してウエット流路３３に流入させる構成である。なお、上記第１実施形態と同様の構成は、第１実施形態と同じ符号を付して図示するとともに説明を省略する。
【００５６】
（空調装置の構成）
第４実施形態では、図８に示すように、空調装置４００では、間接気化式熱交換器３１のドライ流路３４は、ドライ流路３４によって冷却された冷却空気９２をウエット流路３３に送る分岐流路３４ｂを含む。具体的には、戻り流路３４ａから、分岐流路３４ｂが分岐するように構成されており、戻り流路３４ａを通る冷却空気９２のうちの一部は、分岐流路３４ｂに流入し、分岐流路３４ｂを介して、分岐流路３４ｂと連通するウエット流路３３に流入する。
【００５７】
なお、第４実施形態のその他の構成は、上記第１実施形態と同様である。
【００５８】
（第４実施形態の効果）
第４実施形態では、以下のような効果を得ることができる。
【００５９】
第４実施形態では、上記のように、ドライ流路３４が、ドライ流路３４によって冷却された冷却空気９２をウエット流路３３に送る分岐流路３４ｂを含むように、空調装置４００を構成する。これにより、分岐流路３４ｂからの冷却空気９２によって、ウエット流路３３が冷却されるので、ウエット流路３３によるドライ流路３４の冷却を容易にすることができる。
【００６０】
なお、第４実施形態のその他の効果は、上記第１実施形態と同様である。
【００６１】
［第５実施形態］
図９を参照して、本発明の第５実施形態による空調装置５００の構成について説明する。第５実施形態では、上記第１実施形態の構成と異なり、蒸発器２３の排水を給水する給水装置４７によって、ウエット流路１３への給水を行うように構成されている。なお、上記第１実施形態と同様の構成は、第１実施形態と同じ符号を付して図示するとともに説明を省略する。
【００６２】
（空調装置の構成）
冷凍機４２は、蒸発器２３において凝縮した排水を貯水するドレン皿２３ａを含む。なお、ドレン皿２３ａは、特許請求の範囲の「貯水部材」の一例である。
【００６３】
ここで、第５実施形態では、図９に示すように、間接気化式熱交換器１は、ウエット流路１３への給水を行う給水装置４７を含む。給水装置４７は、ウエット流路１３へ水を導入する給水管４７ａを有する。また、給水装置４７は、冷凍機４２の蒸発器２３において凝縮した排水を、ドレン皿２３ａからウエット流路１３に送水する、冷凍機４２内の給水ポンプ４７ｂを有する。具体的には、膨張弁２４（図２参照）から出て、蒸発器２３に入る低温低圧の湿り蒸気は、蒸発器２３において除湿される。蒸発器２３内の除湿によって凝縮した排水は、ドレン皿２３ａに貯水される。ドレン皿２３ａとウエット流路１３とは、給水管４７ａによって接続されている。また、ドレン皿２３ａに貯水された排水は、冷凍機４２内の、ドレン皿２３ａとウエット流路１３との間に設けられている給水ポンプ４７ｂによって、ウエット流路１３に送水される。なお、図９においては、排水管１８および圧縮機２２は省略している。
【００６４】
なお、第５実施形態のその他の構成は、上記第１実施形態と同様である。
【００６５】
（第５実施形態の効果）
第５実施形態では、以下のような効果を得ることができる。
【００６６】
第５実施形態では、上記のように、給水装置４７が、冷凍機４２の蒸発器２３において凝縮した排水を、蒸発器２３の排水を貯水する冷凍機４２内のドレン皿２３ａからウエット流路１３に送水する、冷凍機４２内の給水ポンプ４７ｂを含むように、空調装置５００を構成する。これにより、水道水を用いず蒸発器２３の排水を用いて、ウエット流路１３への給水を行うことができる。ここで、ドレン皿２３ａに貯水された排水は純水に近いので、雨水等を用いて給水する場合に比べて、不純物（固形物）の濾過のための給水フィルタを設ける必要がない。したがって、ドレン皿２３ａに貯水された排水をウエット流路１３への給水に用いることによって、雨水等を給水に用いる場合に比べて、装置の部品点数を低減させることができる。
【００６７】
なお、第５実施形態のその他の効果は、上記第１実施形態と同様である。
【００６８】
［第６実施形態］
図１０を参照して、本発明の第６実施形態による空調装置６００の構成について説明する。第６実施形態は、上記第５実施形態の構成と異なり、間接気化式熱交換器５１を冷凍機５２の内部に配置する構成である。なお、上記第５実施形態と同様の構成は、第５実施形態と同じ符号を付して図示するとともに説明を省略する。
【００６９】
（空調装置の構成）
第６実施形態では、図１０に示すように、間接気化式熱交換器５１は、冷凍機５２の内部に配置されるように構成されている。具体的には、冷凍機５２は、排気空気９３を店内８０へ排気するための孔部５２ａを含み、排気口１３０からの排気空気９３は、孔部５２ａを通り店内８０へ排気される。また、冷凍機５２は、冷却空気９２を店内８０へ給気するための孔部５２ｂを含み、給気口１４０からの冷却空気９２は、孔部５２ｂを通り店内８０へ給気される。また、空気９０および加熱空気９１と、冷却空気９２および排気空気９３とが、衝突しないように、仕切り板５２ｃが設けられている。
【００７０】
なお、第６実施形態のその他の構成は、上記第５実施形態と同様である。
【００７１】
（第６実施形態の効果）
第６実施形態では、以下のような効果を得ることができる。
【００７２】
第６実施形態では、上記のように、間接気化式熱交換器５１は、冷凍機５２の内部に配置されるように、空調装置６００を構成する。これにより、冷凍機５２内のデッドスペースに間接気化式熱交換器５１を配置することによって、空調装置６００全体の外形を小型化することができるとともに、店内８０において空調装置６００が占有するスペースを低減させることができる。
【００７３】
なお、第６実施形態のその他の効果は、上記第５実施形態と同様である。
【００７４】
［第７実施形態］
図１４〜図１８を参照して、本発明の第７実施形態による空調装置８００の構成について説明する。第７実施形態では、上記第１実施形態の構成に加えて、ウエット流路１３からの排水を回収し、ウエット流路１３へ給水する循環装置６０を設ける構成である。なお、上記第１実施形態と同様の構成は、第１実施形態と同じ符号を付して図示するとともに説明を省略する。
【００７５】
（空調装置の構成）
第７実施形態では、図１４に示すように、間接気化式熱交換器６１は、冷凍機２の上部に配置されている。また、間接気化式熱交換器６１は、コア部６２を含んでいる。また、間接気化式熱交換器６１は、循環装置６０を含んでいる。
【００７６】
図１５に示すように、コア部６２は、不織布１３ｂと熱伝導が可能で水を通さない隔壁１５が、スペーサ６３により保持され、ウエット流路１３とドライ流路１４とが交互に積層されるように構成されている。また、ウエット流路１３は、Ｚ２側からＺ１側へと空気９１ａが流れるように構成され、ドライ流路１４は、Ｙ１側からＹ２側へと空気９１ｂが流れるように構成されている。
【００７７】
図１６に示すように、循環装置６０は、散水管６０ａを含んでいる。また、循環装置６０は、給水ポンプ６０ｃを含んでいる。また、循環装置６０は、貯水部材６０ｄを含んでいる。散水管６０ａと給水ポンプ６０ｃと貯水部材６０ｄとは、配水管６０ｂによって繋がれている。貯水部材６０ｄには、あらかじめ蒸留水のような不純物の少ない水が貯水される。給水ポンプ６０ｃは、貯水部材６０ｄに排出された水を回収し、配水管６０ｂを介して散水管６０ａに送るように構成されている。散水管６０ａは、配水管６０ｂから送り込まれた水を、コア部６２の上面側（Ｚ１側）からウエット流路１３へ給水するように構成されている。ウエット流路１３へ給水された水の一部は、ウエット流路１３の下面側（Ｚ２側）から排出され、貯水部材６０ｄによって回収される。これにより、循環装置６０は、ウエット流路１３へ給水する水を回収して、再度給水する（循環させる）ように構成される。なお、循環装置６０は、特許請求の範囲の「循環装置」の一例である。
【００７８】
また、空気９１ａは、コア部６２のウエット流路１３内をＺ１側からＺ２側へと通過する。具体的には、空気９１ａは、給気口１１ａから間接気化式熱交換器６１に取り込まれ、Ｚ１側からＺ２側へ向けてコア部６２を通過して、ウエット流路１３内の水の一部を気化させた後、ウエット流路１３の出口から排気口１３０までの間の排気流路６８を通り排気口１３０から店内８０へと排気される。
【００７９】
図１７に示すように、空気９１ｂは、コア部６２のドライ流路１４内をＹ１側からＹ２側へと通過する。具体的には、図１８に示すように、空気９１ｂは、給気口１１ａから間接気化式熱交換器６１に取り込まれ、Ｙ１側からＹ２側へ向けてコア部６２を通過して、冷却された後、給気口１４０から店内８０へ給気される。
【００８０】
なお、第７実施形態のその他の構成は、上記第１実施形態と同様である。
【００８１】
（第７実施形態の効果）
第７実施形態では、以下のような効果を得ることができる。
【００８２】
第７実施形態では、上記のように、ウエット流路１３からの排水を回収し、ウエット流路１３へ再び給水する循環装置６０を含むように空調装置８００を構成する。これにより、循環装置６０を用いることにより、ウエット流路１３からの排水を循環させ、ウエット流路１３への給水に用いる水を再利用することができる。その結果、使用水量を低減することができる。
【００８３】
なお、第７実施形態のその他の効果は、上記第１実施形態と同様である。
【００８４】
［第８実施形態］
図１９を参照して、本発明の第８実施形態による空調装置８１０の構成について説明する。第８実施形態では、上記第７実施形態に加えて、ウエット流路１３よりも下流側の排気流路にノズル６４を設ける構成である。なお、上記第７実施形態と同様の構成は、第７実施形態と同じ符号を付して図示するとともに説明を省略する。
【００８５】
（空調装置の構成）
第８実施形態では、図１９に示すように、循環装置６０には、貯水部材６０ｄから給水ポンプ６０ｃで回収された水を、ウエット流路１３の出口近傍で、排気流路６８内の排気空気９３に散布する、ノズル６４が設けられている。ノズル６４は、ウエット流路１３の出口近傍で、コア部６２から流出する排気空気９３の流出方向に対して、排気空気９３と交差する向きに散水する。ノズル６４へ送られる水の量は、散水管６０ａへ送られる水の量と等しいか、散水管６０ａへ送られる水よりも少ない。なお、ノズル６４は、特許請求の範囲の「散水部」の一例である。
【００８６】
なお、第８実施形態のその他の構成は、上記第７実施形態と同様である。
【００８７】
（第８実施形態の効果）
第８実施形態では、上記のように、コア部６２から流出する排気空気９３の流出方向に対して、ウエット流路１３からの排水の一部を、排気空気９３と交差する向きに散布するノズル６４を含むように空調装置８１０を構成する。これにより、排気流路６８の空気が冷却され、水の再凝縮が起こり、ウエット流路１３で気化した水分を回収することができる。その結果、再利用可能な水量を増大させて、使用水量をさらに低減させることができる。
【００８８】
なお、第８実施形態のその他の効果は、上記第７実施形態と同様である。
【００８９】
［第９実施形態］
図２０を参照して、本発明の第９実施形態による空調装置８２０の構成について説明する。第９実施形態では、上記第７実施形態に加えて、排気流路６８の内壁面に、ウエット流路１３から排出された空気を冷却する板状の冷却フィン６５を設ける構成である。なお、上記第７実施形態と同様の構成は、第７実施形態と同じ記号を付して図示するとともに説明を省略する。
【００９０】
（空調装置の構成）
第９実施形態では、図２０に示すように、排気流路６８の内底面に、板状の冷却フィン６５をさらに備えている。板状の冷却フィン６５は、排気流路６８の内底面から、コア部６２（ウエット流路１３の出口）に向けて立ち上がるように複数設けられている。なお、板状の冷却フィン６５は、特許請求の範囲の「冷却部材」の一例である。
【００９１】
（第９実施形態の効果）
第９実施形態では、以下のような効果を得ることができる。
【００９２】
第９実施形態では、上記のように、排気流路６８の内底面に、板状の冷却フィン６５を、排気流路６８の内底面からコア部６２（ウエット流路１３の出口）に向けて立ち上がるように複数設けるように、空調装置８２０を構成する。これにより、排気流路６８の内底面の表面積を増大させることができ、排気流路６８内の空気の冷却効率が向上されるので、ウエット流路１３で気化した水分の回収量をさらに増加させることができる。
【００９３】
なお、第９実施形態のその他の効果は、第７実施形態と同様である。
【００９４】
［第１０実施形態］
図２１を参照して、本発明の第１０実施形態による空調装置８３０の構成について説明する。第１０実施形態では、上記第７実施形態の構成に加えて、排気流路６８の外壁面と、外壁面よりも低温の店舗壁面６７とを接続するとともに、外壁面の熱を店舗壁面６７に伝達する熱伝導シート６６をさらに備えるように構成されている。なお、上記第７実施形態と同様の構成は、第７実施形態と同じ符号を付して図示するとともに説明を省略する。
【００９５】
（空調装置の構成）
図２１に示すように、第１０実施形態による空調装置８３０は、排気流路６８の底部の外表面（Ｚ２側の外表面）と接する熱伝導シート６６を備える。熱伝導シート６６の端部は、排気流路６８の熱が熱伝導シート６６を伝わり、排気流路６８の外壁面よりも低温の店舗壁面６７へ排熱するように、店舗壁面６７に接続している。なお、熱伝導シート６６および店舗壁面６７は、それぞれ、特許請求の範囲の「熱伝導部材」および「外部の構造物」の一例である。
【００９６】
なお、第１０実施形態のその他の構成は、上記第７実施形態と同様である。
【００９７】
（第１０実施形態の効果）
第１０実施形態では、以下のような効果を得ることができる。
【００９８】
第１０実施形態では、上記のように、排気流路６８の底部の外表面（Ｚ２側の外表面）と接する熱伝導シート６６をさらに備えるように空調装置８３０を構成する。熱伝導シート６６は、排気流路６８の熱が熱伝導シート６６を伝わり、排気流路６８の外壁面よりも低温の店舗壁面６７へ排熱するように、端部で店舗壁面６７と接続している。これにより、熱伝導シート６６によって、排気流路６８内の熱を効率よく店舗壁面６７へ伝達させることが可能となる。その結果、排気流路６８内における空気の冷却効率が向上するので、ウエット流路１３で気化した水分の回収量をより一層増加させることができる。
【００９９】
なお、第１０実施形態のその他の効果は、上記第７実施形態と同様である。
【０１００】
［第１１実施形態］
図３および図２４を参照して、本発明の第１１実施形態による空調装置９００について説明する。第１１実施形態による空調装置９００のコア部１２ａ（図２４参照）は、ウエット流路１３内の不織布１３ｂが、コア部１２の端面まで配置されている第１実施形態（図４参照）とは異なり、コア部１２ａのウエット流路１３内の不織布１３ｂ（図２４参照）が、スペーサ６３（図２４参照）の内側までとなるように構成されている。なお、上記第１実施形態と同様の構成は、第１実施形態と同じ符号を付して図示するとともに説明を省略する。
【０１０１】
（空調装置の構成）
図３に示すように、第１１実施形態による空調装置９００は、間接気化式熱交換器７１を含む。また、間接気化式熱交換器７１は、コア部１２ａを含む。図２４に示すように、ウエット流路１３は、ドライ流路１４とウエット流路１３とを分離する隔壁１５と、ウエット流路１３の空気の流れ方向（Ｙ方向）と直交する方向（Ｚ方向）の両端部において一対の隔壁１５間に配置されるスペーサ６３と、吸水性を有する不織布１３ｂとによって構成されている。Ｚ方向における不織布１３ｂの一端１３ｄおよび他端１３ｅは、ウエット流路１３の内部において、一端側のスペーサ６３ａから他端側のスペーサ６３ｂまでの範囲内に配置されている。したがって、図２４の例では、スペーサ６３は、不織布１３ｂを介さず、直接隔壁１５に当接するように配置されている。なお、本実施形態では、ウエット流路１３とドライ流路１４とが略直交するように構成されている。すなわち、ウエット流路１３を流れる空気はＹ方向に流れ、ドライ流路１４を流れる空気はＺ方向に流れるように構成されている。
【０１０２】
詳細には、不織布１３ｂの一端１３ｄは、一端側のスペーサ６３ａのウエット流路１３側の内表面近傍に配置されており、不織布１３ｂの他端１３ｅは、他端側のスペーサ６３ｂのウエット流路１３側の内表面近傍に配置されている。また、不織布１３ｂは、ウエット流路１３内の奥行方向（Ｙ方向）の一端から他端に渡り、ウエット流路１３をはみ出ない領域に配置されている。なお、不織布１３ｂは、特許請求の範囲の「保水部材」の一例である。
【０１０３】
なお、第１１実施形態のその他の構成は、上記第１実施形態と同様である。
【０１０４】
（第１１実施形態の効果）
第１１実施形態では、上記のように、ウエット流路１３は、ドライ流路１４とウエット流路１３とを分離する隔壁１５と、ウエット流路１３の空気の流れ方向（Ｙ方向）と直交する方向（Ｚ方向）の両端部において一対の隔壁１５間に配置されるスペーサ６３と、吸水性を有する不織布１３ｂとによって構成され、不織布１３ｂの一端１３ｄおよび他端１３ｅは、ウエット流路１３の内部において、一端側のスペーサ６３ａから他端側のスペーサ６３ｂまでの範囲内に配置されている。これにより、ドライ流路１４へ流れ込む空気が、ウエット流路１３の端部からはみ出した不織布１３ｂに触れることを防ぐことができるので、ドライ流路１４への水分の混入を抑制することができる。その結果、ドライ流路１４内の空気の絶対湿度の増大を抑制することができるので、冷却効率を向上させることができる。
【０１０５】
また、第１１実施形態では、上記のように、不織布１３ｂの一端１３ｄは、一端側のスペーサ６３ａのウエット流路１３側の内表面近傍に配置されており、不織布１３ｂの他端１３ｅは、他端側のスペーサ６３ｂのウエット流路１３側の内表面近傍に配置されている。これにより、不織布１３ｂをウエット流路１３内のスペーサ６３の内側の略全域に渡って配置することができる。その結果、ウエット流路１３内に保水することができる水分量を増大させることができるので、ウエット流路１３内で気化する水分量を増大させることができる。これによっても、冷却効率を向上させることができる。
【０１０６】
なお、第１１実施形態のその他の効果は、上記第１実施形態と同様である。
【０１０７】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【０１０８】
たとえば、上記第１〜６実施形態では、コア部１２のＸ１側から空気９１ａおよび空気９１ｂのそれぞれを導入することによって、空気９１ａと空気９１ｂとが並行して進む構成の例を示したが、本発明はこれに限られない。たとえば、図１１に示すように、空気９１ａをコア部１２のＺ２側から導入することによって、空気９１ａと空気９１ｂとが、略直交する構成であってもよい。
【０１０９】
また、上記第１〜６実施形態では、コア部１２のＸ１側から空気９１ａおよび空気９１ｂのそれぞれを導入することによって、空気９１ａと空気９１ｂとが並行して進む構成の例を示したが、本発明はこれに限られない。たとえば、図１２に示すように、空気９１ａをコア部１２のＺ２側から導入させ、Ｘ１方向に流れるようにすることによって、空気９１ａと空気９１ｂとが、対向して流れる構成であってもよい。
【０１１０】
また、上記第３実施形態では、ドライ流路１４の入口側、および、ウエット流路１３入口側にファン１９を設ける例を示したが、本発明はこれに限られない。たとえば、図１３に示すように、ドライ流路１４の出口側（戻り流路１４ａ）、および、ウエット流路１３の出口側（排気流路１３ｃ）のそれぞれにファン１９を設けてもよい。これにより、空気９１ａの風量、および、空気９１ｂの風量のそれぞれを個別に調整することができるので、空気９１ａの風量と空気９１ｂの風量との比を容易に調整することができる。その結果、間接気化式熱交換器１の冷却能力の調整をさらに容易にすることができる。
【０１１１】
また、上記第１〜６実施形態では、凝縮器用ファン２１ａによって送風される加熱空気９１は、直接給気口１１ａを通り、間接気化式熱交換器に導入される例を示したが、本発明はこれに限られない。たとえば、凝縮器２１から給気口１１ａまで連通するダクトを設けることによって、風路を介して加熱空気９１を間接気化式熱交換器に導入する構成であってもよい。
【０１１２】
また、上記第１〜６実施形態では、凝縮器の排熱によって加熱された空気を間接気化式熱交換器に導入する例を示したが、本発明はこれに限られない。たとえば、圧縮機の排熱によって加熱された空気を間接気化式熱交換器に導入する構成であってもてもよい。
【０１１３】
また、上記第１〜５実施形態では、間接気化式熱交換器が冷凍機の上部に設置されており、上記第６実施形態では、間接気化式熱交換器が冷凍機の内部に設置される例を示したが、本発明はこれに限られない。たとえば、冷凍機の横（側方）に配置する構成でもよい。
【０１１４】
また、上記第１〜５実施形態では、凝縮器の排熱によって加熱された空気を、凝縮器用ファンによって送風する例を示したが、本発明はこれに限られない。たとえば、凝縮器を給気口の真下に配置して、凝縮器用ファンを用いずに、排熱によって加熱された空気を直接給気口に導入する構成であってもよい。
【０１１５】
また、上記第２〜６実施形態では、空気９１ａと空気９１ｂとが、並行して同じ方向に流れる構成の例を示したが、本発明はこれに限られない。上記第２〜６実施形態においても、空気９１ａと空気９１ｂとが、交差するように流れる構成、または、対向するように流れる構成であってもよい。
【０１１６】
また、上記第１〜６実施形態では、膨張弁および蒸発器のそれぞれが、冷凍機に含まれる構成の例を示したが、本発明はこれに限られない。たとえば、膨張弁および蒸発器のそれぞれが、冷凍機の外部のショーケース内に含まれる構成であってもよい。
【０１１７】
また、上記第２、３、５、および、６実施形態では、分岐流路（図８参照）が設けられていない構成の例を示したが、本発明はこれに限られない。上記第２、３、５、および、６実施形態の構成において、分岐流路を設ける構成であってもよい。
【０１１８】
また、上記第１、２、および、４〜６実施形態では、ウエット流路の流路面積とドライ流路の流路面積との比を調整するによって、ウエット流路を通る空気の風量と、ドライ流路を通る空気の風量との比を調整する例を示したが、本発明はこれに限られない。たとえば、各流路の入口または出口に、抵抗体（たとえば、メッシュ、または、パンチングメタル）を設けることによって、風量比を調整してもよい。また、各流路の入口または出口に、開口面積を制御する部材を設けることによって、風量比を調整してもよい。
【０１１９】
また、上記第１〜６実施形態では、空調装置は、１台の間接気化式熱交換器と、１台の冷凍機を備える例を示したが、本発明はこれに限られない。たとえば、空調装置は、１台の間接気化式熱交換器と、複数台（たとえば、８台）の冷凍機を備えていてもよい。
【０１２０】
また、上記第７〜１１実施形態では、循環装置６０は貯水部材６０ｄに貯水した水を循環させる例を示したが、本発明はこれに限られない。循環装置６０は、たとえば、貯水部材６０ｄに加えて、一時的な循環水量の不足や、過剰排水量を調整するために、バッファタンクをさらに備える構成であってもよい。
【０１２１】
また、上記第９実施形態では、排気流路６８の内底面に、冷却部材を設ける例を示したが、本発明はこれに限られない。たとえば、図２２に示すように、排気流路６８の底部の外表面（Ｚ２側の外表面）に板状の冷却フィン６５を備える構成であってもよい。この場合、排気流路６８の底部の外表面（Ｚ２側の外表面）に設けた板状の冷却フィン６５によって、排気流路６８内の熱を効率的に外部に放熱することが可能となる。その結果、排気流路６８における空気の冷却効率が向上されるので、ウエット流路１３で気化した水分の回収量をさらに増加させることができる。また、図２３に示すように、排気流路６８の内底面の壁面を貫通させて板状の冷却フィン６５を備える構成であってもよい。
【０１２２】
また、上記第９実施形態では、排気流路６８の内壁面または外壁面に設ける冷却部材として板状の冷却フィンを用いる例を示したが、本発明はこれに限られない。たとえば、冷却部材として、板状の冷却フィンの代わりに、柱状の冷却ピンを含む構成であってもよい。
【０１２３】
また、上記第１１実施形態では、不織布１３ｂの両端がスペーサ６３のウエット流路１３側の内表面と接していない例を示したが、本発明はこれに限られない。たとえば、不織布１３ｂの両端が、スペーサ６３のウエット流路１３側の内表面と接していてもよい。
【０１２４】
また、上記第１１実施形態では、ウエット流路１３とドライ流路１４とが略直交する（直交流となる）例を示したが、本発明はこれに限られない。たとえば、ウエット流路１３とドライ流路１４とが並行流または対向流となるように構成されていてもよい。その場合、不織布１３ｂは、ウエット流路１３の空気の流れ方向（Ｙ方向）において、ウエット流路１３からはみ出ないように構成すればよい。
【符号の説明】
【０１２５】
１、３１、５１、６１、７１  間接気化式熱交換器
２、４２、５２  冷凍機
１１ａ  給気口
１３、３３  ウエット流路
１３ｂ  不織布（保水部材）
１３ｄ  不織布の一端（保水部材の一端）
１３ｅ  不織布の他端（保水部材の他端）
１４、３４  ドライ流路
１７、２７、４７  給水装置
１９  ファン
２３  蒸発器
２３ａ  ドレン皿（貯水部材）
２７ｂ  貯水タンク
２７ｃ  送水ポンプ
３４ｂ  分岐流路
４７ｂ  給水ポンプ
６０  循環装置
６３、６３ａ、６３ｂ  スペーサ
６４  ノズル（散水部）
６５  冷却フィン（冷却部材）
６６  熱伝導シート（熱伝導部材）
６７  店舗壁面（外部の構造物）
６８  排気流路
８０  店内（室内）
９１  加熱空気（冷凍機の排熱によって加熱された空気）
９１ａ  空気（ウエット流路内を流れる空気）
９１ｂ  空気（ドライ流路内を流れる空気）
９２  冷却空気（ドライ流路内において冷却された空気）
１００、２００、３００、４００、５００、６００、８００、８１０、８２０、８３０、９００  空調装置
【図１】
2018021748.tif 000003
【図２】
2018021748.tif 000004
【図３】
2018021748.tif 000005
【図４】
2018021748.tif 000006
【図５】
2018021748.tif 000007
【図６】
2018021748.tif 000008
【図７】
2018021748.tif 000009
【図８】
2018021748.tif 000010
【図９】
2018021748.tif 000011
【図１０】
2018021748.tif 000012
【図１１】
2018021748.tif 000013
【図１２】
2018021748.tif 000014
【図１３】
2018021748.tif 000015
【図１４】
2018021748.tif 000016
【図１５】
2018021748.tif 000017
【図１６】
2018021748.tif 000018
【図１７】
2018021748.tif 000019
【図１８】
2018021748.tif 000020
【図１９】
2018021748.tif 000021
【図２０】
2018021748.tif 000022
【図２１】
2018021748.tif 000023
【図２２】
2018021748.tif 000024
【図２３】
2018021748.tif 000025
【図２４】
2018021748.tif 000026